【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
ワイヤレス通信を実行するように構成された装置であって、
命令を記憶するメモリと、
前記メモリと結合されたプロセッサと、を備え、前記プロセッサは、
個々のデバイスへの割振りのための、４８個のデータトーンと４つのパイロットトーンとを備える５２個のトーンのセットに従ってワイヤレス通信のためのメッセージを生成することと、
３の低密度パリティチェック（ＬＤＰＣ）トーンマッピング距離（ＤＴＭ）を使用して、５２個のトーンの前記セットに従って生成された前記メッセージのために、前記メッセージのトーンをマッピングすることと、
ワイヤレス送信のために前記メッセージを出力することと、
を行うために前記命令を実行するように構成された、装置。
【請求項２】
前記プロセッサは、１６のインターリーバ深度と１１のベースサブキャリア回転とを使用して、５２個のトーンの前記セットに従って生成された前記メッセージのために、符号化データをインターリーブするために前記命令を実行するようにさらに構成された、請求項１に記載の装置。
【請求項３】
前記プロセッサは、前記メッセージを送信するために使用される各空間ストリームのための単一のサブキャリアごとのコード化ビット数の３倍に等しい数のインターリーバ行を使用して、５２個のトーンの前記セットに従って生成された前記メッセージのために、符号化データをインターリーブするために前記命令を実行するようにさらに構成された、請求項１に記載の装置。
【請求項４】
前記装置はアクセスポイントであり、前記プロセッサは、前記アクセスポイントによってサービスされる移動局に、前記アクセスポイントの送信機とアンテナとを通して前記メッセージを送信するように構成されることによって、送信のために前記メッセージを供給するように構成された、請求項１に記載の装置。
【請求項５】
前記プロセッサは、
個々のデバイスへの割振りのための、１０２個のデータトーンと４つのパイロットトーンとを備える１０６個のトーンのセットに従ってワイヤレス通信のためのメッセージを生成し、
１７のインターリーバ深度と２９のベースサブキャリア回転とを使用して、１０６個のトーンの前記セットに従って生成された前記メッセージのために、符号化データをインターリーブするために前記命令を実行する
ようにさらに構成された、請求項１に記載の装置。
【請求項６】
前記プロセッサは、
個々のデバイスへの割振りのための、１０２個のデータトーンと４つのパイロットトーンとを備える１０６個のトーンのセットに従ってワイヤレス通信のためのメッセージを生成し、
前記メッセージを送信するために使用される各空間ストリームのための単一のサブキャリアごとのコード化ビット数の６倍に等しい数のインターリーバ行を使用して、１０６個のトーンの前記セットに従って生成された前記メッセージのために、符号化データをインターリーブするために前記命令を実行する
ようにさらに構成された、請求項１に記載の装置。
【請求項７】
前記プロセッサは、
個々のデバイスへの割振りのための、１０２個のデータトーンと４つのパイロットトーンとを備える１０６個のトーンのセットに従ってワイヤレス通信のためのメッセージを生成し、
６の低密度パリティチェック（ＬＤＰＣ）トーンマッピング距離（ＤＴＭ）を使用して、１０６個のトーンの前記セットに従って生成された前記メッセージのために、前記メッセージのトーンをマッピングするために前記命令を実行する
ようにさらに構成された、請求項１に記載の装置。
【請求項８】
前記プロセッサは、バイナリ畳み込みコードインターリービングを使用するとき、４つ以下の空間ストリーム上での送信のために前記メッセージを供給するように構成された、請求項１に記載の装置。
【請求項９】
前記装置は移動局であり、前記プロセッサは、前記移動局をサービスするアクセスポイントに、前記移動局の送信機とアンテナとを通して前記メッセージを送信するように構成されることによって、送信のために前記メッセージを供給するように構成された、請求項１に記載の装置。
【請求項１０】
ワイヤレス通信の方法であって、
個々のデバイスへの割振りのための、４８個のデータトーンと４つのパイロットトーンとを備える５２個のトーンのセットに従ってワイヤレス通信のためのメッセージを生成することと、
３の低密度パリティチェック（ＬＤＰＣ）トーンマッピング距離（ＤＴＭ）を使用して、５２個のトーンの前記セットに従って生成された前記メッセージのために、前記メッセージのトーンをマッピングすることと、
ワイヤレス送信のために前記メッセージを出力することと、
を備える方法。
【請求項１１】
前記方法はアクセスポイント上で実行され、送信のために前記メッセージを供給することは、前記アクセスポイントによってサービスされる移動局に、前記アクセスポイントの送信機とアンテナとを通して前記メッセージを送信することを備える、
請求項１０に記載の方法。
【請求項１２】
前記メッセージを生成することは、５２個のトーンの前記セットに従って前記メッセージを生成することを備え、前記方法は、１６のインターリーバ深度と１１のベースサブキャリア回転とを使用して、５２個のトーンの前記セットに従って生成された前記メッセージのために、符号化データをインターリーブすることをさらに備える、請求項１０に記載の方法。
【請求項１３】
前記メッセージを生成することは、５２個のトーンの前記セットに従って前記メッセージを生成することを備え、前記方法は、前記メッセージを送信するために使用される各空間ストリームのための単一のサブキャリアごとのコード化ビット数の３倍に等しい数のインターリーバ行を使用して、５２個のトーンの前記セットに従って生成された前記メッセージのために、符号化データをインターリーブすることをさらに備える、請求項１０に記載の方法。
【請求項１４】
前記方法は移動局上で実行され、送信のために前記メッセージを供給することは、前記移動局をサービスするアクセスポイントに、前記移動局の送信機とアンテナとを通して前記メッセージを送信することを備える、請求項１０に記載の方法。
【請求項１５】
個々のデバイスへの割振りのための、１０２個のデータトーンと４つのパイロットトーンとを備える１０６個のトーンのセットに従ってワイヤレス通信のためのメッセージを生成することと、
１７のインターリーバ深度と２９のベースサブキャリア回転とを使用して、１０６個のトーンの前記セットに従って生成された前記メッセージのために、符号化データをインターリーブすることと
をさらに備える、請求項１０に記載の方法。
【請求項１６】
個々のデバイスへの割振りのための、１０２個のデータトーンと４つのパイロットトーンとを備える１０６個のトーンのセットに従ってワイヤレス通信のためのメッセージを生成することと、
前記メッセージを送信するために使用される各空間ストリームのための単一のサブキャリアごとのコード化ビット数の６倍に等しい数のインターリーバ行を使用して、１０６個のトーンの前記セットに従って生成された前記メッセージのために、符号化データをインターリーブすることと
をさらに備える、請求項１０に記載の方法。
【請求項１７】
個々のデバイスへの割振りのための、１０２個のデータトーンと４つのパイロットトーンとを備える１０６個のトーンのセットに従ってワイヤレス通信のためのメッセージを生成することと、
６の低密度パリティチェック（ＬＤＰＣ）トーンマッピング距離（ＤＴＭ）を使用して、１０６個のトーンの前記セットに従って生成された前記メッセージのために、前記メッセージのトーンをマッピングすることと
をさらに備える、請求項１０に記載の方法。
【請求項１８】
バイナリ畳み込みコードインターリービングを使用するとき、４つ以下の空間ストリーム上での送信のために前記メッセージを供給することをさらに備える、請求項１０に記載の方法。
【請求項１９】
ワイヤレス通信のための装置であって、
個々のデバイスへの割振りのための、４８個のデータトーンと４つのパイロットトーンとを備える５２個のトーンのセットに従ってワイヤレス通信のためのメッセージを生成するための手段と、
３のマッピング距離（ＤＴＭ）のための低密度パリティチェック（ＬＤＰＣ）トーン手段を使用して、５２個のトーンの前記セットに従って生成された前記メッセージのために、前記メッセージのトーンをマッピングするための手段と、
ワイヤレス送信のために前記メッセージを出力するための手段と、
を備える装置。
【請求項２０】
個々のデバイスへの割振りのための、１０２個のデータトーンと４つのパイロットトーンとを備える１０６個のトーンのセットに従ってワイヤレス通信のためのメッセージを生成することと、
６のマッピング距離（ＤＴＭ）のための低密度パリティチェック（ＬＤＰＣ）トーン手段を使用して、１０６個のトーンの前記セットに従って生成された前記メッセージのために、前記メッセージのトーンをマッピングするための手段と
をさらに備える、請求項１９に記載の装置。
【請求項２１】
バイナリ畳み込みコードインターリービングを使用するとき、４つ以下の空間ストリーム上での送信のために前記メッセージを供給するための手段をさらに備える、請求項１９に記載の装置。
【請求項２２】
１６のインターリーバ深度と１１のベースサブキャリア回転とを使用して、５２個のトーンの前記セットに従って生成された前記メッセージのために、符号化データをインターリーブするための手段をさらに備える、請求項１９に記載の装置。
【請求項２３】
前記メッセージを送信するために使用される各空間ストリームのための単一のサブキャリアごとのコード化ビット数の３倍に等しい数のインターリーバ行を使用して、５２個のトーンの前記セットに従って生成された前記メッセージのために、符号化データをインターリーブするための手段をさらに備える、請求項１９に記載の装置。
【請求項２４】
前記装置は移動局を備え、送信のために前記メッセージを供給するための前記手段は、前記移動局をサービスするアクセスポイントに、前記移動局の送信機とアンテナとを通して前記メッセージを送信するための手段を備える、請求項１９に記載の装置。
【請求項２５】
個々のデバイスへの割振りのための、１０２個のデータトーンと４つのパイロットトーンとを備える１０６個のトーンのセットに従ってワイヤレス通信のためのメッセージを生成するための手段と、
１７のインターリーバ深度と２９のベースサブキャリア回転とを使用して、１０６個のトーンの前記セットに従って生成された前記メッセージのために、符号化データをインターリーブするための手段と
をさらに備える、請求項１９に記載の装置。
【請求項２６】
個々のデバイスへの割振りのための、１０２個のデータトーンと４つのパイロットトーンとを備える１０６個のトーンのセットに従ってワイヤレス通信のためのメッセージを生成するための手段と、
前記メッセージを送信するために使用される各空間ストリームのための単一のサブキャリアごとのコード化ビット数の６倍に等しい数のインターリーバ行を使用して、１０６個のトーンの前記セットに従って生成された前記メッセージのために、符号化データをインターリーブするための手段と
をさらに備える、請求項１９に記載の装置。
【請求項２７】
実行されたとき、装置に、
個々のデバイスへの割振りのための、４８個のデータトーンと４つのパイロットトーンとを備える５２個のトーンのセットに従ってワイヤレス通信のためのメッセージを生成することと、
３の低密度パリティチェック（ＬＤＰＣ）トーンマッピング距離（ＤＴＭ）を使用して、前記メッセージのトーンをマッピングすることと、
ワイヤレス送信のために前記メッセージを出力することと
を行わせる命令を備える非一時的コンピュータ可読媒体。
【手続補正２】
【補正対象書類名】明細書
【補正対象項目名】０１６４
【補正方法】変更
【補正の内容】
【０１６４】
[00184]上記は本開示の態様を対象とするが、それの基本的範囲から逸脱することなく本開示の他の態様およびさらなる態様が考案され得、それの範囲は以下の特許請求の範囲によって決定される。
以下に本願の出願当初の特許請求の範囲に記載された発明を付記する。
［Ｃ１］
ワイヤレス通信を実行するように構成された装置であって、
命令を記憶するメモリと、
前記メモリと結合されたプロセッサと、を備え、前記プロセッサは、
個々のデバイスへの割振りのための、４８個のデータトーンと４つのパイロットトーンとを備える５２個のトーンのセットと、
個々のデバイスへの割振りのための、１０２個のデータトーンと４つのパイロットトーンとを備える１０６個のトーンのセットと、
のうちの少なくとも１つに従ってワイヤレス通信のためのメッセージを生成することと、
送信のために前記メッセージを供給することと、
を行うために前記命令を実行するように構成された、装置。
［Ｃ２］
前記プロセッサは、１６のインターリーバ深度と１１のベースサブキャリア回転とを使用して、５２個のトーンの前記セットに従って生成された前記メッセージのために、符号化データをインターリーブするために前記命令を実行するようにさらに構成された、Ｃ１に記載の装置。
［Ｃ３］
前記プロセッサは、前記メッセージを送信するために使用される各空間ストリームのための単一のサブキャリアごとのコード化ビット数の３倍に等しい数のインターリーバ行を使用して、５２個のトーンの前記セットに従って生成された前記メッセージのために、符号化データをインターリーブするために前記命令を実行するようにさらに構成された、Ｃ１に記載の装置。
［Ｃ４］
前記プロセッサは、３の低密度パリティチェック（ＬＤＰＣ）トーンマッピング距離（ＤＴＭ）を使用して、５２個のトーンの前記セットに従って生成された前記メッセージのために、前記メッセージのトーンをマッピングするために前記命令を実行するようにさらに構成された、Ｃ１に記載の装置。
［Ｃ５］
前記プロセッサは、１７のインターリーバ深度と２９のベースサブキャリア回転とを使用して、１０６個のトーンの前記セットに従って生成された前記メッセージのために、符号化データをインターリーブするために前記命令を実行するようにさらに構成された、Ｃ１に記載の装置。
［Ｃ６］
前記プロセッサは、前記メッセージを送信するために使用される各空間ストリームのための単一のサブキャリアごとのコード化ビット数の６倍に等しい数のインターリーバ行を使用して、１０６個のトーンの前記セットに従って生成された前記メッセージのために、符号化データをインターリーブするために前記命令を実行するようにさらに構成された、Ｃ１に記載の装置。
［Ｃ７］
前記プロセッサは、６の低密度パリティチェック（ＬＤＰＣ）トーンマッピング距離（ＤＴＭ）を使用して、１０６個のトーンの前記セットに従って生成された前記メッセージのために、前記メッセージのトーンをマッピングするために前記命令を実行するようにさらに構成された、Ｃ１に記載の装置。
［Ｃ８］
前記プロセッサは、バイナリ畳み込みコードインターリービングを使用するとき、４つ以下の空間ストリーム上での送信のために前記メッセージを供給するように構成された、Ｃ１に記載の装置。
［Ｃ９］
前記装置は移動局であり、前記プロセッサは、前記移動局をサービスするアクセスポイントに、前記移動局の送信機とアンテナとを通して前記メッセージを送信するように構成されることによって、送信のために前記メッセージを供給するように構成された、Ｃ１に記載の装置。
［Ｃ１０］
前記装置はアクセスポイントであり、前記プロセッサは、前記アクセスポイントによってサービスされる移動局に、前記アクセスポイントの送信機とアンテナとを通して前記メッセージを送信するように構成されることによって、送信のために前記メッセージを供給するように構成された、Ｃ１に記載の装置。
［Ｃ１１］
ワイヤレス通信の方法であって、
個々のデバイスへの割振りのための、４８個のデータトーンと４つのパイロットトーンとを備える５２個のトーンのセットと、
個々のデバイスへの割振りのための、１０２個のデータトーンと４つのパイロットトーンとを備える１０６個のトーンのセットと、
のうちの少なくとも１つに従ってワイヤレス通信のためのメッセージを生成することと、
送信のために前記メッセージを供給することと、
を備える方法。
［Ｃ１２］
前記メッセージを生成することは、５２個のトーンの前記セットに従って前記メッセージを生成することを備え、前記方法は、１６のインターリーバ深度と１１のベースサブキャリア回転とを使用して、５２個のトーンの前記セットに従って生成された前記メッセージのために、符号化データをインターリーブすることをさらに備える、Ｃ１１に記載の方法。
［Ｃ１３］
前記メッセージを生成することは、５２個のトーンの前記セットに従って前記メッセージを生成することを備え、前記方法は、前記メッセージを送信するために使用される各空間ストリームのための単一のサブキャリアごとのコード化ビット数の３倍に等しい数のインターリーバ行を使用して、５２個のトーンの前記セットに従って生成された前記メッセージのために、符号化データをインターリーブすることをさらに備える、Ｃ１１に記載の方法。
［Ｃ１４］
前記メッセージを生成することは、５２個のトーンの前記セットに従って前記メッセージを生成することを備え、前記方法は、３の低密度パリティチェック（ＬＤＰＣ）トーンマッピング距離（ＤＴＭ）を使用して、５２個のトーンの前記セットに従って生成された前記メッセージのために、前記メッセージのトーンをマッピングすることをさらに備える、Ｃ１１に記載の方法。
［Ｃ１５］
前記メッセージを生成することは、１０６個のトーンの前記セットに従って前記メッセージを生成することを備え、前記方法は、１７のインターリーバ深度と２９のベースサブキャリア回転とを使用して、１０６個のトーンの前記セットに従って生成された前記メッセージのために、符号化データをインターリーブすることをさらに備える、Ｃ１１に記載の方法。
［Ｃ１６］
前記メッセージを生成することは、１０６個のトーンの前記セットに従って前記メッセージを生成することを備え、前記方法は、前記メッセージを送信するために使用される各空間ストリームのための単一のサブキャリアごとのコード化ビット数の６倍に等しい数のインターリーバ行を使用して、１０６個のトーンの前記セットに従って生成された前記メッセージのために、符号化データをインターリーブすることをさらに備える、Ｃ１１に記載の方法。
［Ｃ１７］
前記メッセージを生成することは、１０６個のトーンの前記セットに従って前記メッセージを生成することを備え、前記方法は、６の低密度パリティチェック（ＬＤＰＣ）トーンマッピング距離（ＤＴＭ）を使用して、１０６個のトーンの前記セットに従って生成された前記メッセージのために、前記メッセージのトーンをマッピングすることをさらに備える、Ｃ１１に記載の方法。
［Ｃ１８］
バイナリ畳み込みコードインターリービングを使用するとき、４つ以下の空間ストリーム上での送信のために前記メッセージを供給することをさらに備える、Ｃ１１に記載の方法。
［Ｃ１９］
前記方法は移動局上で実行され、
送信のために前記メッセージを供給することは、前記移動局をサービスするアクセスポイントに、前記移動局の送信機とアンテナとを通して前記メッセージを送信することを備える、
Ｃ１１に記載の方法。
［Ｃ２０］
前記方法はアクセスポイント上で実行され、
送信のために前記メッセージを供給することは、前記アクセスポイントによってサービスされる移動局に、前記アクセスポイントの送信機とアンテナとを通して前記メッセージを送信することを備える、
Ｃ１１に記載の方法。
［Ｃ２１］
ワイヤレス通信のための装置であって、
個々のデバイスへの割振りのための、４８個のデータトーンと４つのパイロットトーンとを備える５２個のトーンのセットと、
個々のデバイスへの割振りのための、１０２個のデータトーンと４つのパイロットトーンとを備える１０６個のトーンのセットと、
のうちの少なくとも１つに従ってワイヤレス通信のためのメッセージを生成するための手段と、
送信のために前記メッセージを供給するための手段と、
を備える装置。
［Ｃ２２］
１６のインターリーバ深度と１１のベースサブキャリア回転とを使用して、５２個のトーンの前記セットに従って生成された前記メッセージのために、符号化データをインターリーブするための手段をさらに備える、Ｃ２１に記載の装置。
［Ｃ２３］
前記メッセージを送信するために使用される各空間ストリームのための単一のサブキャリアごとのコード化ビット数の３倍に等しい数のインターリーバ行を使用して、５２個のトーンの前記セットに従って生成された前記メッセージのために、符号化データをインターリーブするための手段をさらに備える、Ｃ２１に記載の装置。
［Ｃ２４］
３のマッピング距離（ＤＴＭ）のための低密度パリティチェック（ＬＤＰＣ）トーン手段を使用して、５２個のトーンの前記セットに従って生成された前記メッセージのために、前記メッセージのトーンをマッピングするための手段をさらに備える、Ｃ２１に記載の装置。
［Ｃ２５］
１７のインターリーバ深度と２９のベースサブキャリア回転とを使用して、１０６個のトーンの前記セットに従って生成された前記メッセージのために、符号化データをインターリーブするための手段をさらに備える、Ｃ２１に記載の装置。
［Ｃ２６］
前記メッセージを送信するために使用される各空間ストリームのための単一のサブキャリアごとのコード化ビット数の６倍に等しい数のインターリーバ行を使用して、１０６個のトーンの前記セットに従って生成された前記メッセージのために、符号化データをインターリーブするための手段をさらに備える、Ｃ２１に記載の装置。
［Ｃ２７］
６のマッピング距離（ＤＴＭ）のための低密度パリティチェック（ＬＤＰＣ）トーン手段を使用して、１０６個のトーンの前記セットに従って生成された前記メッセージのために、前記メッセージのトーンをマッピングするための手段をさらに備える、Ｃ２１に記載の装置。
［Ｃ２８］
バイナリ畳み込みコードインターリービングを使用するとき、４つ以下の空間ストリーム上での送信のために前記メッセージを供給するための手段をさらに備える、Ｃ２１に記載の装置。
［Ｃ２９］
前記装置は移動局を備え、
送信のために前記メッセージを供給するための前記手段は、前記移動局をサービスするアクセスポイントに、前記移動局の送信機とアンテナとを通して前記メッセージを送信するための手段を備える、
Ｃ２１に記載の装置。
［Ｃ３０］
実行されたとき、装置に、
個々のデバイスへの割振りのための、４８個のデータトーンと４つのパイロットトーンとを備える５２個のトーンのセットと、
個々のデバイスへの割振りのための、１０２個のデータトーンと４つのパイロットトーンとを備える１０６個のトーンのセットと、
のうちの少なくとも１つに従ってワイヤレス通信のためのメッセージを生成することと、
送信のために前記メッセージを供給することと、を行わせる命令を備える非一時的コンピュータ可読媒体。